(57)【特許請求の範囲】
【請求項１】
マトリクス状に配列された小領域の各々に、異なる複数の符号を各々配列してなる符号配列についての複数の配列情報を生成する配列情報生成手段と、
前記符号から、前記符号と異なる性質として扱われる有効符号を無作為に所定回数選択すると共に、どの符号が有効符号かについての有効符号情報を生成する抽選手段と、
前記配列情報及び有効符号情報に基づいて、前記小領域の各々に対応して、所定のディスプレイ装置上に複数の符号配列、及び有効符号の表示処理を行う画像処理手段と、
前記有効符号の配列が前記符号配列中で所定の条件を満たした場合に、所定の遊戯価値の払い戻しを認める判定手段と、
前記抽選手段による前記有効符号の選択中に、有効符号でない所定の符号を有効符号へ変化させるための遊戯者からの所定の操作を受け付け、前記遊戯者により前記所定の操作がなされた場合には、前記有効でない所定の符号を有効符号へ変化させる途中ベット手段と、を備えて構成されており、
前記途中ベット手段は、このベット手段により前記有効でない符号を前記有効符号へ変化させなくても遊戯価値の払い戻しを認めるための前記所定の条件が満たされる可能性のある状況下では、遊戯者からの前記所定の操作を受け付けないように構成されている、
ゲーム機。
【請求項２】
前記途中ベット手段は、前記有効符号でない所定の符号を有効符号に変化させても遊戯価値の払い戻しを認めるための前記所定の条件が満たされない場合にのみ、前記所定の操作を受け付けるように構成されている、
請求項１記載のゲーム機。
【請求項３】
前記途中ベット手段は、前記有効符号でない所定の符号のうち遊戯者が操作することのできる操作可能符号を前記ディスプレイ装置上に表示するための情報を生成するように構成されている、
請求項１記載のゲーム機。
【請求項４】
前記操作可能符号は、その符号を有効符号に変化させることで、少なくともあと１回の抽選手段による符号の選択により遊戯価値の払い戻しを認めるための前記所定の条件が満たされる可能性が生じる符号である、
請求項３記載のゲーム機。
【請求項５】
前記途中ベット手段は、前記抽選手段による所定回数の選択を後１回残すのみとなっており、且つその最後の１回の選択を行ったときに遊戯価値の払い戻しを認めるための前記所定の条件が満たされる可能性のある状況下では、遊戯者からの符号の選択についての前記所定の操作を受け付けないように構成されている、
請求項１又は２記載のゲーム機。
【請求項６】
前記判定手段は、前記符号配列中で、前記有効符号が、縦、横、斜めのいずれかの方向に連続して所定の数並んだ場合に、前記所定の遊戯価値の払い戻しを認めるように構成されている、
請求項１ないし５のいずれか１項に記載のゲーム機。
【請求項７】
前記ディスプレイ装置は、複数の遊戯者のそれぞれに割り当て可能とするために、複数設けられており、前記画像処理手段は、前記ディスプレイ装置のそれぞれに、前記各配列情報を表示するように構成されている、
請求項１ないし６のいずれか１項に記載のゲーム機。
【請求項８】
前記途中ベット手段は、前記所定の操作において、遊戯者からの前記有効でない所定の符号のいずれかの符号の選択およびベットを受け付ける、
請求項１または５記載のゲーム機。
【請求項９】
マトリクス状に配列された小領域の各々に、異なる複数の符号を各々配列してなる符号配列についての複数の配列情報を生成すると共に、前記符号から、前記符号と異なる性質として扱われる有効符号を無作為に複数回選択し、どの符号が有効符号かについての有効符号情報を生成するゲーム制御手段と、
前記配列情報及び有効符号情報に基づいて、所定のディスプレイ装置上に複数の符号配列、及び有効符号の表示処理を行う画像処理手段と、
前記有効符号の配列が前記符号配列中で所定の条件を満たした場合に、所定の遊戯価値の払い戻しを認める判定手段と、
を備える遊戯機にて実行される方法であって、
前記ゲーム制御手段が、
前記有効符号の選択中に、有効符号でない所定の符号を有効符号へ変化させるための遊戯者からの所定の操作を受け付ける過程、
前記遊戯者により前記所定の操作がなされた場合には、前記有効でない所定の符号を有効符号へ変化させる過程、
を実行し、前記遊戯者からの所定の操作を受け付ける過程では、前記有効でない符号を前記有効符号へ変化させなくても遊戯価値の払い戻しを認めるための前記所定の条件が満たされる可能性のある状況下では、遊戯者からの前記所定の操作を受け付けないようにされているゲーム機の制御方法。
【請求項１０】
前記所定の操作は、遊戯者による有効でない所定の符号のいずれかの符号の選択及びベットである、
請求項９記載のゲーム機の制御方法。
【請求項１１】
コンピュータを遊戯機として機能させるためのプログラムコードがコンピュータ読みとり可能な形態で記録された記録媒体であって、
前記プログラムコードは、前記コンピュータを、
マトリクス状に配列された小領域の各々に、異なる複数の符号を各々配列してなる符号配列についての複数の配列情報を生成する配列情報生成手段、
前記符号から、前記符号と異なる性質として扱われる有効符号を無作為に所定回数選択すると共に、どの符号が有効符号かについての有効符号情報を生成する抽選手段、
前記配列情報及び有効符号情報に基づいて、所定のディスプレイ装置上に複数の符号配列、及び有効符号の表示処理を行う画像処理手段、
前記有効符号の配列が前記符号配列中で所定の条件を満たした場合に、所定の遊戯価値の払い戻しを認める判定手段、
前記抽選手段による前記有効符号の選択中に、有効符号でない所定の符号を有効符号へ変化させるための遊戯者からの所定の操作を受け付け、前記遊戯者により前記所定の操作がなされた場合には、前記有効でない所定の符号を有効符号へ変化させる途中ベット手段、として機能させるものであって、
前記途中ベット手段は、このベット手段により前記有効でない符号を前記有効符号へ変化させなくても遊戯価値の払い戻しを認めるための前記所定の条件が満たされる可能性のある状況下では、遊戯者からの前記所定の操作を受け付けないように構成されている、記録媒体。
【発明の詳細な説明】
【０００１】
【発明の属する技術分野】
本発明は、例えばビンゴゲーム機のように複数の遊戯者が参加できるゲーム機において、遊興性を高めるためのゲーム機及びそのゲーム機の制御方法に関する。
【０００２】
【従来の技術】
ゲームセンタなどの遊戯場に置かれる大型の遊戯機の一つとして、ルールが簡単で初心者にもわかりやすく、視覚的にも遊戯者の興味を引きつけるビンゴゲーム機が知られている。この種のビンゴゲーム機では、参加した遊戯者毎に、固有の配列でマトリクス状に符号が並ぶ配列情報をビンゴカードとして割り当て、この配列情報を各遊戯者の座席に表示させる。そして、複数の符号の中から無作為に選んだ符号を有効とする抽選を行い、各遊戯者の配列情報のうち有効とされた符号とそれ以外の無効な符号との表示形態を異ならせていく。これを所定回数繰り返し、配列情報の中で縦方向、横方向、対角線方向のいずれかの直線方向のすべての符号が有効となった遊戯者がいるときに、その遊戯者を当選者（当選のことを通常「ビンゴ」と呼ぶ）とし、その遊戯者に対してメダルなどの賞与を与える。
【０００３】
ビンゴゲーム機のように複数の遊戯者が１カ所に集まって遊戯する大型の遊戯機では、各遊戯者の遊興性を高めるために様々な工夫がなされている。
【０００４】
例えば、遊戯者の配列情報を、遊戯者の操作により行毎に可動として、有効となった符号の位置を動かすことにより当選の確率を高めていくラインビンゴゲームがある。ラインビンゴゲームは、例えば６個の抽選用ボールによって抽選を行う場合に、４個目の抽選開始前までの間に、自分の配列情報を各行単位で可動としたものである。つまり、３個の抽選結果により有効となった符号を自分に有利なように移動させるものであり、有効となった符号がそれぞれ異なった行にある場合は、各行を動かすことにより列方向に３個の有効符号を揃えることが可能となる。このようにして当選確率を高めることで、遊戯者は、ビンゴゲームを楽しむことになる。
【０００５】
他の遊興性を高める方法として、マルチカードビンゴゲームがある。マルチカードビンゴは、１人の遊戯者に対して１個の配列情報を用いてゲームを行うのではなく、複数の各々異なる配列情報を用いておこなわれる。複数の配列情報を用いるマルチビンゴゲームとすることで、当選確率は高くなる。つまり、４個の配列情報によるマルチビンゴゲームとすると、通常の１つの配列情報によるビンゴゲームに比べて当選の確率が４倍となる。遊戯者は、このようにして、当選確率が高くなるために、ビンゴゲームを、より楽しめるようになる。
【０００６】
【発明が解決しようとする課題】
ビンゴゲームは、ビンゴを達成する以前に、あと一つ符号が有効になることによりビンゴになる状態（以下、「リーチ」という）が必要である。ゲームとしては、最後の抽選以前にリーチになった場合に遊戯者の遊興性が高まる。しかし、最後の抽選時にリーチにない場合、どの符号が有効になってもビンゴが達成できないために、遊戯者の興味は急激に削がれることとなる。
【０００７】
本発明の課題は、上記のように最後の抽選時にリーチにない場合に、遊戯者の興味を削がずに、ゲームに対する遊興性を高めるゲーム機及びその制御方法を提供することにある。
【０００８】
【課題を解決するための手段】
以上のような課題を解決する本発明のゲーム機は、マトリクス状に配列された小領域の各々に、異なる複数の符号を各々配列してなる符号配列についての複数の配列情報を生成する配列情報生成手段と、前記符号から、前記符号と異なる性質として扱われる有効符号を無作為に所定回数選択すると共に、どの符号が有効符号かについての有効符号情報を生成する抽選手段と、前記配列情報及び有効符号情報に基づいて、前記小領域の各々に対応して、所定のディスプレイ装置上に複数の符号配列、及び有効符号の表示処理を行う画像処理手段と、前記有効符号の配列が前記符号配列中で所定の条件を満たした場合に、所定の遊戯価値の払い戻しを認める判定手段と、前記有効符号の選択中に、遊戯者からの符号の選択についての所定の操作を受け付け、前記所定操作がなされている場合には、遊戯者が選択した符号を有効符号へ変化させる途中ベット手段と、を備えて構成される。これにより、遊戯者は自分の好みの符号を有効符号とすることが可能となる。好みの符号を有効符号に変更可能となるので、例えば抽選により希望通りの符号が有効とされず、自分にとって不利でゲームを楽しめないない状況に追い込まれた場合などに、自分の有利な状況を自ら作り出せるようになる。つまり、途中ベットを行うことで、ゲームに対する興味を削がれた状態をさけられるようになり、遊戯者をゲームにのめり込ませられるようになる。この途中ベット手段は、このベット手段により前記有効でない符号を前記有効符号へ変化させなくても遊戯価値の払い戻しを認めるための前記所定の条件が満たされる可能性のある状況下では、遊戯者からの前記所定の操作を受け付けないように構成されており、選択の残り回数と所定条件を満たすための条件との関係で、所定の条件が満たされる可能性がある場合には、符号を遊戯者の意志により有効符号とすることを防止可能となる。所定の操作による符号の有効化を制限することにより遊興性が高くなる。
【０００９】
前記途中ベット手段は、前記有効符号でない所定の符号を有効符号に変化させても遊戯価値の払い戻しを認めるための前記所定の条件が満たされない場合にのみ、前記所定の操作を受け付けるように構成されることが望ましい。
このような構成により、所定の操作により有効符号とすることにより所定の条件が満たされて、遊戯価値が払い戻されることを防止することが可能となるのでゲームの遊興性を高くできる。つまり、偶然性が大きすぎると不利な状況となった遊戯者の楽しさを削ぐにしても、所定の条件をあまりにも確実に満たすことができるのであれば、やはりゲームの楽しさが削がれる。
上記の如き発明によれば、所定の条件が満たされるために偶然性を作用させることが可能となるため、遊戯者はその瞬間を十分に楽しめるようになる。
【００１０】
また、前記途中ベット手段は、前記有効符号でない所定の符号のうち遊戯者が操作することのできる操作可能符号を前記ディスプレイ装置上に表示するための情報を生成するように構成されてもよい。
このようにすることで、遊戯者が符号の選択をし易くなる。また、この場合にディスプレイ装置上に表示される操作可能符号は、その符号を有効符号に変化させても遊戯価値の払い戻しを認めるための前記所定の条件が満たされない符号であることが望ましい。例えば、前記操作可能符号は、その符号を有効符号に変化させることで、少なくともあと１回の抽選手段による符号の選択により遊戯価値の払い戻しを認めるための前記所定の条件が満たされる可能性が生じる符号とすることが望ましい。
遊戯価値払い戻しのための所定の条件が満たされてしまう符号を選択可能とすると、上述のように、ゲームの興趣が削がれるからである。
【００１１】
前記途中ベット手段を、前記抽選手段による所定回数の選択を後１回残すのみとなっており、且つその最後の１回の選択を行ったときに遊戯価値の払い戻しを認めるための前記所定の条件が満たされる可能性のある状況下では、遊戯者からの符号の選択についての前記所定の操作を受け付けるように構成してもよい。つまり、選択の残り回数と所定条件を満たすための条件との関係で、所定の条件が満たされる可能性がある場合には、符号を遊戯者の意志により有効符号とすることを防止可能となる。所定の操作による符号の有効化を制限することにより遊興性が高くなる。
【００１２】
前記判定手段は、例えば、前記符号配列中で、前記有効符号及び前記有効領域が、縦、横、斜めのいずれかの方向に連続して所定の数並んだ場合に、前記所定の遊戯価値の払い戻しを認めるように構成されている。
前記ディスプレイ装置は、複数の遊戯者のそれぞれに割り当て可能とするために、複数設けられており、前記画像処理手段は、前記ディスプレイ装置のそれぞれに、前記各配列情報を表示するように構成されていることが望ましい。
複数のディスプレイ装置により、複数の遊戯者による同時遊戯が可能となる。以上のゲーム機で所定の操作とは、例えば、遊戯者による符号の選択により発生する選択情報及びベットである。
【００１３】
上記ゲーム装置に係る発明は、ゲーム専用機などのコンピュータ装置に以下の如き方法を実行させることによっても実現可能である。即ち、マトリクス状に配列された小領域の各々に、異なる複数の符号を各々配列してなる符号配列についての複数の配列情報を生成すると共に、前記符号から、前記符号と異なる性質として扱われる有効符号を無作為に複数回選択し、どの符号が有効符号かについての有効符号情報を生成するゲーム制御手段と、前記配列情報及び有効符号情報に基づいて、所定のディスプレイ装置上に複数の符号配列、及び有効符号の表示処理を行う画像処理手段と、前記有効符号の配列が前記符号配列中で所定の条件を満たした場合に、所定の遊戯価値の払い戻しを認める判定手段と、を備える遊戯機にて実行される方法であって、前記ゲーム制御手段が、前記有効符号の選択中に、遊戯者からの符号の選択についての所定の操作を受け付ける過程、前記所定の操作がなされている場合には、遊戯者が選択した符号を有効符号へ変化させる過程、を実行し、前記遊戯者からの所定の操作を受け付ける過程では、前記有効でない符号を前記有効符号へ変化させなくても遊戯価値の払い戻しを認めるための前記所定の条件が満たされる可能性のある状況下では、遊戯者からの前記所定の操作を受け付けないようにされているゲーム機の制御方法がそれである。以上の方法で所定の操作とは、例えば、遊戯者による符号の選択により発生する選択情報及びベットである。
【００１４】
また、コンピュータ装置を本発明に係るゲーム装置として機能させるためにあたっては、例えば以下の如き記録媒体に記録されたプログラムコードをコンピュータ装置に読み込ませることで、これを為すことができる。即ち、コンピュータを遊戯機として機能させるためのプログラムコードがコンピュータ読みとり可能な形態で記録された記録媒体であって、前記プログラムコードは、前記コンピュータを、マトリクス状に配列された小領域の各々に、異なる複数の符号を各々配列してなる符号配列についての複数の配列情報を生成する配列情報生成手段、前記符号から、前記符号と異なる性質として扱われる有効符号を無作為に所定回数選択すると共に、どの符号が有効符号かについての有効符号情報を生成する抽選手段、前記配列情報及び有効符号情報に基づいて、所定のディスプレイ装置上に複数の符号配列、及び有効符号の表示処理を行う画像処理手段、前記有効符号の配列が前記符号配列中で所定の条件を満たした場合に、所定の遊戯価値の払い戻しを認める判定手段、前記有効符号の選択中に、遊戯者からの符号の選択についての所定の操作を受け付け、前記所定の操作がなされている場合には、遊戯者が選択した符号を有効符号へ変化させる途中ベット手段、として機能させるものであって、前記途中ベット手段は、このベット手段により前記有効でない符号を前記有効符号へ変化させなくても遊戯価値の払い戻しを認めるための前記所定の条件が満たされる可能性のある状況下では、遊戯者からの前記所定の操作を受け付けないように構成されている、記録媒体である。
【００１５】
尚、本明細書で言うプログラムコードとは、プログラムそれ自体に加えて、ゲームをゲーム装置に実行させるために必要なデータや、制御パラメータなどをも含む概念である。
【００１６】
【発明の実施の形態】
以下、本発明を適用した遊戯方法の一実施形態を、ビンゴゲーム機を例に挙げて説明する。
【００１７】
尚、このビンゴゲーム機は、後に詳しく説明するが、ラインビンゴゲーム、マルチカードビンゴゲーム及びジャックポットゲームの３つのゲームを実行できるものとなっている。
【００１８】
図１は、ビンゴゲーム機の外観斜視図である。このビンゴゲーム機は、６個の抽選用ボールを用いて２５種類の符号のいずれかを抽選していくビンゴゲームの環境を複数の遊戯者（最大１０名）に提供するもので、各遊戯者が視認可能な遊戯領域に配置される抽選装置１０、特定事象の一例となる「リーチ」の発生を遊戯者に知らせる通知装置、及び１０人分の遊戯者席ＰＳを有している。また、当選者（ビンゴになった遊戯者）に対して遊戯価値（メダル等）を付与するための機構が設けられている。
抽選装置１０はゲーム機本体の中央部で透明ドームに囲われており、各遊戯者が抽選内容を見ながら楽しめるようになっている。
【００１９】
遊戯者席ＰＳは、図２に示すような外観を持つ。各遊戯者席ＰＳには、それぞれ抽選装置１０による抽選の結果とゲーム開始後の抽選履歴を当該遊戯者に知らせるためのディスプレイ装置ＤＳが設けられている。ディスプレイ装置ＤＳの表示内容は、参加した遊戯者に固有のものである。ディスプレイ装置ＤＳは、表示された画像に触れることによりゲーム選択などの入力が可能な、タッチパネル式となっている。なお、抽選に用いるボールの数、符号の種類は任意であるが、この実施形態のビンゴゲーム機では抽選に６つのボールを用い、また符合として１〜２５の２５個の数字を用いることとしている。
【００２０】
ビンゴゲーム機は、また、ゲーム全体の動作を制御するコントローラを有しており、各座席ＰＳのディスプレイ装置ＤＳは、このコントローラによって制御されるようになっている。その他に各遊戯者席ＰＳには、遊戯に参加するためにメダルを投入するためのメダル投入口４１、当選時に遊戯価値を付与するための払出口４２、ゲーム中の効果音を発生させるスピーカ装置ＳＰが設けられている。
【００２１】
抽選装置１０は、図３にその要部構造を示すように、ボールの供給孔１１と、ボールを転がす面部を有する一つの回転体１２と、ボールを回収する複数のポケット１４が形成された回収部１３とを含んで構成される。供給孔１１には、図示しないボール供給機構によって抽選用のボールが供給されるようになっている。回転体１２は、図示しない回転駆動機構によって固定平面上で回転するものであり、供給孔１１から供給されたボールをその面部で不規則に転がして飛び出させる。ポケット１４は、回転体１２の外周に沿って円周方向に２５個設けられている。このため、回転体１２上を周縁方向に転がるボールは、ポケット１４のいずれかに落下して回収されるようになる。各ポケット１４には、それぞれ固有の符号（この実施形態では、「１」〜「２５」のいずれかの番号）が割り当てられている。
【００２２】
通知装置２０は、回収部１３の外周部に沿ってこの回収部１３と同心円上に配備された複数の報知装置３０を含んで構成される。
各報知装置３０は、それぞれ特定事象の一例である「リーチ」の発生時に「リーチランプ」として機能する点灯表示部３１と、符号を表示するための表示塔３２と、図示しない制御機構とを有している。点灯表示部３１は、座席ＰＳの各々に遊戯者が着席した場合に、各遊戯者の視野角内に光を射出できるようにするもので、該当方向へ光を射出可能な複数の光射出部を収容する環状の筐体をカバーで覆った構造になっている。これらの光の射出方向は、各座席ＰＳと１対１に対応付けられており、制御機構によって、これらの光射出部の一部または全部による光の射出が許容されるようになっている。表示塔３２は、有底筒状をなし、筒の部分が点灯表示部３１の中央部に緩装されるようになっている。
【００２３】
この報知装置３０は、ポケット１４と同じ数、すなわち、２５個配備されており、個々のポケット１４と１対１に対応している。
表示塔３２の上底面には、それぞれ対応するポケット１４ないしその報知装置３０に割り当てられている符号（「１」〜「２５」）が表示されており、遊戯者や観戦者が透明ドームを通じて容易にその符号を視認できるようになっている。
【００２４】
図４は、ビンゴゲーム機のハードウェア構成を示す図である。
ビンゴゲーム機はマイクロプロセッサを主体として構成され、ゲームの進行に必要な各種の演算や動作制御を行うコントローラＣＮＴと、コントローラＣＮＴからの命令に従って所望の画像をディスプレイ装置ＤＳに描画する画面描画制御装置５１と、コントローラＣＮＴからの命令に従ってディスプレイ装置ＤＳ上に描画される画像に触れることにより入力されるデータの制御を行う入力制御装置５２と、コントローラＣＮＴからの命令に従って所望のサウンドをスピーカ装置ＳＰから出力させるサウンド制御装置５３と、コントローラＣＮＴの命令に従ってビンゴカードがリーチ状態になった際に遊戯者に対して報知装置３０を用いてリーチを知らせる通知装置２０と、コントローラＣＮＴの命令に従ってビンゴカードの符号を選択する抽選を行う抽選装置１０と、コントローラＣＮＴの命令に従ってメダル投入口４１から投入されたメダルの適否や払出口４２から払戻す遊戯価値を管理するメダル管理装置５４と、記憶手段としてのＲＡＭ５５、ＲＯＭ５６および補助記憶装置５７を含んで構成される。
補助記憶装置５７は、磁気記憶媒体を備えたいわゆるハードディスク記憶装置が内蔵されており、ビンゴカードの符号の配列に関する情報などゲーム進行に必要な諸情報を記憶する。
【００２５】
これらの各制御装置、通知装置２０、メダル管理装置５４、ＲＡＭ５５、ＲＯＭ５６および補助記憶装置５７はバス５８を介してコントローラＣＮＴと接続されている。
【００２６】
ＲＯＭ５６にはビンゴゲーム機の起動時の基本動作等を制御するために必要なプログラムやデータが書き込まれている。補助記憶装置５７には、ビンゴゲーム機で使用するビンゴカードに用いられるマトリクス状の符号の配列データが書き込まれている。このデータは、コントローラＣＮＴからの指令に応じてＲＡＭ５５の所定領域にロードされる。
【００２７】
図５は、ビンゴゲーム機の内部構成を示す機能ブロック図である。ビンゴゲーム機は、ゲーム全体の制御をコントローラＣＮＴによって行なう。つまり、抽選機構２００、通知機構３００及びゲーム管理機構１００の制御をコントローラＣＮＴにより行なう。抽選機構２００及び通知機構３００は、上記の如き構成をもつ抽選装置１０、通知装置２０の動作を制御するものである。抽選機構２００は、抽選装置１０により行われる符号の抽選動作全般を制御するものである。通知機構３００は、通知装置２０により行われる遊戯者へのリーチ状態の通知動作全般を制御するものである。ゲーム管理機構１００は、ビンゴゲーム機において実行されるラインビンゴゲーム、マルチカードビンゴゲーム及びジャックポットゲームの３つのゲームを制御するものである。
【００２８】
ゲーム管理機構１００は、図６に示すような機能ブロックからなる。ゲーム管理機構１００は、指示情報解析部１１０、ゲーム制御部１２０、メダル管理部１３０、画像制御部１４０、サウンド制御部１５０を含んで構成される。
【００２９】
指示情報解析部１１０は、入力制御装置５２、抽選装置１０、メダル管理装置５４などから入力される操作内容、入力情報を解析する。メダル管理部１３０は、ゲーム結果によりゲーム制御部１２０から払戻の指示があるとメダル管理装置５４に対して払戻を命令するようになっている。ゲーム制御部１２０は、ゲーム進行の管理を行い、指示情報解析部１１０からの入力や、予め定められたゲーム実行上の取決めに基づいて、メダル管理部１３０、抽選機構２００、画像制御部１４０、サウンド制御部１５０を制御する。例えば、予め定めたベットのための時間の経過を検出した場合には、ゲーム制御部１２０は、抽選機構２００に抽選の開始命令を送るようになっている。画像制御部１４０は、ゲーム進行において発生する各種画像情報を、視認可能として遊戯者へ提供する画像を表示するようにディスプレイ装置ＤＳを制御する。サウンド制御部１５０は、ゲーム進行における各種サウンドをスピーカ装置ＳＰにより遊戯者へ提供するように、スピーカ装置ＳＰを制御する。
【００３０】
ゲーム制御部１２０は、図７に示すような機能ブロックからなる。ゲーム制御部１２０は、抽選部１２２、ベット制限部１２１、ボーナス抽選部１２３、ラインビンゴゲーム制御部１２４、マルチカードビンゴゲーム制御部１２５、ジャックポットゲーム制御部１２６を含んで構成される。
ラインビンゴゲーム制御部１２４、マルチカードビンゴゲーム制御部１２５及びジャックポットゲーム制御部１２６はそれぞれ、ラインビンゴゲーム全般、マルチカードビンゴゲーム全般、ジャックポットゲーム全般、の制御を行うものである。
【００３１】
抽選部１２２は、抽選装置１０による抽選結果を各ゲーム制御部で管理されるビンゴカード（本発明で言う「配列情報」に当たる。）に反映させるためのものである。つまり、かかる抽選部１２２が生成したデータは、ラインビンゴゲーム制御部１２４、マルチカードビンゴゲーム制御部１２５、ジャックポットゲーム制御部１２６へそれぞれ送られ、後述のラインビンゴゲーム、マルチカードビンゴゲーム、ジャックポットゲームなどの実行に利用される。
【００３２】
ベット制限部１２１は、ラインビンゴゲーム、マルチカードビンゴゲーム、ジャックポットゲームでベットされるメダル数を制限するためのものであり、遊戯者の手持ちのメダル数を超えたベットを制限するように機能する。即ち、このベット制限部１２１は、遊戯者がメダル投入口４１から投入したメダルや、払い戻しの対象となってはいるものの未だ払い戻されていないメダルの数を超えたベットを制限するように構成されている。
【００３３】
ボーナス抽選部１２３は、指示情報解析部１１０を介して入力制御装置５２から入力されたベットについての情報に基づいて、フューチャー抽選と呼ばれる、遊戯者に有利な条件を与えるための抽選を行うようになっている。具体的には、ボーナス抽選部１２３は、ラインビンゴゲーム及びマルチカードビンゴゲームで各遊戯者がベットしたメダルの数を検出し、トータルのベット数が予め設定した数を超える度に、フューチャー抽選を行う。フューチャー抽選は、遊戯者に有利な条件を与えるためのものであり、一定の確率で、フューチャー抽選を行った遊戯者に何らかの有利な条件を与えるようになっている。
【００３４】
この実施形態では、フューチャー抽選によって与えられる有利な条件は、ラインビンゴゲーム及びマルチカードビンゴゲームのみならず、ジャックポットゲームにも反映されるようになっている。
遊戯者に与えられる有利な条件としては、ラインビンゴゲーム、マルチカードビンゴゲームで与えられるものとしては、例えば、オッズの倍増、有効領域の数の増加などがある。また、ジャックポットゲームで与えられるものとしては、有効領域の数の増加などがある。
本実施形態において、ボーナス抽選部は１２３はさらに、抽選装置１０により複数の有効領域に位置するすべての符号が選択された場合には、遊戯者に特典を与える。特典の例としては、ビンゴカードが最終的に当選しなくても特定の遊戯価値を払い戻すことがある。
【００３５】
ラインビンゴゲーム制御部１２４は、図８に示すような機能ブロックからなる。ラインビンゴゲーム制御部１２４は、カード管理部１２４１、算出部１２４２、表示部１２４３、リーチ判定部１２４４、ビンゴ判定部１２４５、ベット管理部１２４６を含んで構成される。
【００３６】
カード管理部１２４１は、図９で示した如き機能ブロックを備えて構成されており、前述の補助記憶装置５７内のデータを利用して形成されるものである。かかるカード管理部１２４１は、カード生成部４１１、有効領域設定部４１２、有効符号判定部４１３、ライン変更制御部４１４、途中ベット設定部４１５を含んで構成される。
【００３７】
カード生成部４１１は、１〜２５の数字からなる符号及びそれらの配列についての情報を補助記憶装置５７から読み出し、マトリクス状に配列された各小領域の上に符号を配列していくことで、配列情報を生成する。この限りではないが、本実施形態における上記マトリクスは、５×５の正方マトリクスとされている。また、本発明で言う配列情報は、ディスプレイ装置ＤＳ上では、５×５のマトリクス状に配列の小領域上に１〜２５の符号をランダムに並べたカード様に表現されるようになっている。かかる表示を起こなうための情報は、画像制御部１４０によって画像化処理され、各遊戯者のディスプレイ装置ＤＳ上にビンゴカードとして表示される。これがラインビンゴゲーム用ビンゴカードとなる。
尚、上述の符号の配列は、ビンゴカードをディスプレイ装置ＤＳ上に表示する度に乱数表などを用いて無作為に決定するようにしてもよい。また、補助記憶装置５７から読み出される符号の種類、数は、マトリクスを構成する領域の数と一致するものでもよいし、それより少なくてもよい。数が一致している場合には、マトリクスの領域に配置される符号はそれぞれ固有のものになる。一方、それより少ない場合には、マトリクスの一部の領域については、重複して同じ符号が配置されることになる。さらに、補助記憶装置５７に記憶される符号の種類は、マトリクスを構成する領域の数よりも多くてもよい。この場合、記憶されている符号の一部のみが読み出されるようになる。
【００３８】
有効領域設定部４１２は、マトリクス上の特定の位置を有効領域として設定する。ここで、「有効領域」とは、当選判定においてそこに位置する符号が有効符号と同じ価値を持つ領域をいう。有効領域は、生成するビンゴカード毎に、その数や配置が異なるように設定される。尚、有効領域設定部４１２は、ボーナス抽選部１２３から有効領域を増やす旨の指示を受け取った場合には、それに応じて有効領域を発生させる。
【００３９】
有効符号判定部４１３は、抽選部１２２を介して入力される抽選装置１０による抽選結果とビンゴカード上に配列された符号との比較を行い、一致する符号を検出し、当該一致する符号を有効符号とする。
【００４０】
ライン変更制御部４１４は、指示情報解析部１１０において受信される遊戯者からのライン変更の指示により、カード中でのラインの変更を制御する。
【００４１】
途中ベット設定部４１５は、抽選中に行われる後述の途中ベットの管理を行うものである。途中ベット設定部４１５は、指示情報解析部１１０を介して入力制御装置５２から入力されるベットについての情報に基づいて、遊戯者が選択した符号を有効符号として取り扱うように制御する。
【００４２】
ビンゴ判定部１２４５は、ビンゴカード上に表示される有効符号が、所定の条件を満たすか否かを判定し、満たす場合はビンゴカードを当選乃至勝ち（ビンゴ発生）と判定するものである。所定の条件とは、例えば、ビンゴカードのマトリクス状配列中で、縦方向、横方向、対角線方向のいずれかのライン上のすべての符号が、有効領域又は有効符号となることである。ビンゴが発生したと判定すると、ビンゴ判定部１２４５は、ベット管理部１２４６に対しビンゴが発生した旨の情報を送る。
【００４３】
リーチ判定部１２４４は、ビンゴカードの特定事象の一例であるリーチを検出して、これを通知機構２０に報告する。リーチとは、上記ビンゴの一歩手前の状態を言い、縦方向、横方向、対角線方向のいずれかのライン上で、あと一つの符号が有効領域又は有効符号となればビンゴが発生する状態をいう。また、かかるリーチ判定部１２４４は、その時点におけるビンゴカードにつきリーチの判定を行う。尚、この判定は、抽選のための選択が行われるか、或いは上述したラインの変更が行われる度に行われるものとしても良い。
【００４４】
算出部１２４２は、カード管理部１２４１により生成される複数のビンゴカードのそれぞれにつき、オッズの設定を行う。オッズは、有効領域設定部４１２によりビンゴカード上に設定される有効領域の数やその配置により決定される。例えば、有効領域の数が多い場合や、縦方向、横方向、対角線方向に有効領域が並ぶ場合はオッズを低くすることができる。本実施形態では、有効領域の数に基づいてオッズの決定を行う。また、算出部１２４２がボーナス抽選部１２３から、オッズを増加させるように指示を受けた場合には、それに応じた高いオッズを採用する。例えば、すべてのオッズを２倍にするが如きである。
また、オッズは、ビンゴが発生したラインの数に応じても設定される。ビンゴが発生したラインが複数出ることは確率的に低いので、ビンゴが発生するラインが多い場合程高いオッズを付けておくことで、確率に見合った配当を遊戯者に払い戻せるようにする。この実施形態では、ビンゴが生じたライン数が１の場合はベット数の２倍、ビンゴが生じた当選ライン数が２の場合はベット数の５０倍といったようにオッズの決定を行う。算出部１２４２は、また、このオッズとベット数から遊戯者に払い戻す遊戯価値の数量の算出を行い、これをベット管理部１２４６を通してメダル管理部１３０へ出力する。
【００４５】
表示部１２４３は、カード管理部１２４１により生成される複数のビンゴカードを、座席ＰＳに備えられるディスプレイ装置ＤＳに１個ずつ表示させる。ビンゴカード上の有効領域および有効符号は、それ以外の符号から、識別可能な形態によって変更表示される。この表示形態はさらに、有効領域と有効符号との間でも識別可能に表示するのが好ましい。表示部１２４３は、またゲームの進行に必要な諸情報、例えば投入されたメダル数や、オッズなどを、該当するビンゴカードの画像と共に表示する。
【００４６】
ベット管理部１２４６は、選択されたカードに対するベット数を確認するようになっている。このデータは、算出部１２４２に送られて、遊戯者に払い戻す遊戯価値の数量の算出に用いられる。また、ベット管理部１２４６は、ビンゴ判定部１２４５がビンゴ発生を検出して発生したその旨の情報を受け取った場合には、算出部１２４２が算出した数の遊戯価値の払い出しをメダル管理部１３０に命じるようになっている。
尚、抽選装置１０による符号の選択がすべて終了してもビンゴが発生しなかった場合には、当該遊戯者については、遊戯価値の払出は原則行われない。
【００４７】
マルチカードビンゴゲーム制御部１２５は、図１０に示すような機能ブロックからなる。マルチカードビンゴゲーム制御部１２５は、カード管理部１２５１、算出部１２５２、表示部１２５３、リーチ判定部１２５４、ビンゴ判定部１２５５、ベット管理部１２５６を含んで構成される。
【００４８】
カード管理部１２５１は、図１１で示した如き機能ブロックを備えて構成されており、前述の補助記憶装置５７内のデータを利用して形成されるものである。かかるカード管理部１２５１は、カード生成部５１１、有効領域設定部５１２、有効符号判定部５１３を含んで構成される。
【００４９】
このカード生成部５１１は、ラインビンゴゲーム制御部１２４中のカード生成部４１１とほぼ同様の機能を有している。即ち、１〜２５の数字からなる符号及びそれらの配列についての情報を補助記憶装置５７から読み出し、マトリクス状に配列された各小領域の上に符号を配列していくことで、配列情報を生成する。但し、マルチカードビンゴゲームには複数毎のカードが必要であるため、かかるカード生成部は、上記動作を複数回繰り返して、複数のカード情報を生成するようになっている。表示を行うためのかかる情報は、画像制御部１４０によって画像化処理され、各遊戯者のディスプレイ装置ＤＳ上に複数枚のビンゴカードとして表示される。これがマルチカードビンゴゲーム用の複数のビンゴカードとなる。
【００５０】
有効領域設定部５１２は、ラインビンゴゲーム制御部１２４中の有効領域設定部４１２とほぼ同様の機能を有している。マトリクス上の特定の位置を有効領域として設定する。マルチカードビンゴゲームでは、一度のゲームで各遊戯者毎に複数枚のビンゴカードが必要となるが、上記有効領域は、各遊戯者に割り当てられる複数枚のビンゴカード毎に異ならせることもできるし、すべてのビンゴカードにつき共通とすることもできる。
【００５１】
この有効符号判定部５１３は、ラインビンゴゲーム制御部１２４中の有効符号判定部４１３とほぼ同様の機能を有している。即ち、抽選部１２２を介して入力される抽選装置１０による抽選結果とビンゴカード上に配列された符号との比較を行い、一致する符号の判定を行う。判定の結果、一致する符号は有効符号として取り扱われる。尚、かかる有効符号判定部５１３は、上述の判定をすべてのカードについて行うようになっている。
【００５２】
表示部１２５３は、ラインビンゴゲーム制御部１２４中の表示部１２４３とほぼ同様の機能を有している。即ち、かかる表示部１２５３は、カード管理部１２５１により生成される複数枚のビンゴカードの画像を、座席ＰＳに備えられるディスプレイ装置ＤＳに１個ずつ表示させる機能を備えている。
【００５３】
ビンゴ判定部１２５５は、ラインビンゴゲーム制御部１２４中のビンゴ判定部１２４５とほぼ同様の機能を有している。即ち、ビンゴカード上に表示される有効符号が、所定の条件を満たすか否かを判定し、満たす場合はビンゴカードを当選乃至勝ち（ビンゴ発生）と判定する。尚、ビンゴ判定部１２５５は、上述の判定をすべてのカードについて行うようになっている。
【００５４】
リーチ判定部１２５４は、ラインビンゴゲーム制御部１２４中のリーチ判定部１２４４とほぼ同様の機能を有している。即ち、ビンゴカードにおけるリーチを検出して、これを通知機構２０に報告する。また、かかるリーチ判定部１２５４は、上述の判定をすべてのカードについて行うようになっている。
【００５５】
算出部１２５２は、ラインビンゴゲーム制御部１２４中の算出部１２４２とほぼ同様の機能を有している。即ち、算出部１２５２は、カード管理部１２５１により生成される複数のビンゴカードのそれぞれにつき、オッズの設定を行う。また、算出部１２５２は、このオッズとベット数から遊戯者に払い戻す遊戯価値の数量の算出を行い、これをベット管理部１２５６を通してメダル管理部１３０へ出力する。また、算出部１２５２は、生成される複数のビンゴカード毎にそのオッズの計算を行ってもよいが、全ビンゴカードによる総合的なオッズを計算してもよい。この実施形態では、算出部１２５２によるオッズの設定及び払い戻す遊戯価値の決定は、すべてのカードについてまとめた１回の設定乃至決定として行われるようになっている。
【００５６】
表示部１２５３は、ラインビンゴゲーム制御部１２４中の表示部１２４３とほぼ同様の機能を有している。即ち、この表示部１２５３は、カード管理部１２５１により生成された複数のビンゴカードについての画像を、それぞれの遊戯者の座席ＰＳ毎に設けられたディスプレイ装置ＤＳに示させる。表示部１２５３は、またゲームの進行に必要な諸情報、例えば投入されたメダル数や、オッズなどを、該当するビンゴカードの画像と共に表示する。
【００５７】
ベット管理部１２５６は、選択されたカードに対するベット数を確認するようになっている。このデータは、算出部１２５２に送られて、遊戯者に払い戻す遊戯価値の数量の算出に用いられる。また、ベット管理部１２５６は、ビンゴ判定部１２５５がビンゴ発生を検出して発生したその旨の情報を受け取った場合には、算出部１２５２が算出した数の遊戯価値の払い出しをメダル管理部１３０に命じるようになっている。
【００５８】
尚、抽選装置１０による符号の選択がすべて終了してもビンゴが発生しなかった場合には、当該遊戯者については、遊戯価値の払出は原則行われない。
【００５９】
ジャックポットゲーム制御部１２６は、ジャックポットゲーム全体の制御を行うものであり、図１２に示すような機能ブロックからなる。ジャックポットゲーム制御部１２６は、カード管理部１２６１、表示部１２６２、ビンゴ判定部１２６３、ベット管理部１２６４を含んで構成される。
【００６０】
このカード管理部１２６１は、上述のラインビンゴゲーム制御部１２４のカード管理部１２４１とほぼ同様の機能を備えている。即ち、ディスプレイ装置ＤＳ上に表示するジャックポットカードについてのデータを生成し、その表示を制御する。カード管理部１２６１は、図１３で示した如き機能ブロックを備えて構成されている。即ち、かかるカード管理部１２６１は、カード生成部６１１、有効領域設定部６１２、有効符号判定部６１３を含んで構成される。
【００６１】
このカード生成部６１１は、ラインビンゴゲーム制御部１２４中のカード生成部４１１とほぼ同様の機能を有している。即ち、１〜２５の数字からなる符号及びそれらの配列についての情報を補助記憶装置５７から読み出し、マトリクス状に配列された各小領域の上に符号を配列していくことで、配列情報を生成する。ジャックポットゲームでは、各々異なる配列の符号をもつようにしなければならないので、カード生成部は、上記動作を複数回繰り返して、各遊戯者に割り当てるための異なる複数のカード情報を生成するようになっている。表示を行うためのかかる情報は、画像制御部１４０によって画像化処理され、各遊戯者のディスプレイ装置ＤＳ上に複数枚のビンゴカードとして表示される。これがマルチカードビンゴゲーム用の複数のビンゴカードとなる。
【００６２】
この有効領域設定部６１２は、ラインビンゴゲーム制御部１２４中の有効領域設定部４１２とほぼ同様の機能を有している。即ち、マトリクス上の特定の位置を有効領域として設定する機能を有している。尚、有効領域設定部６１２は、ボーナス抽選部１２３から有効領域数を増やす旨の指示を受けた場合には、その遊戯者に割り当てられたジャックポット用ビンゴカード中の有効領域の数を、前ゲームの場合よりも一つだけ増加させるようになっている。
【００６３】
この有効符号判定部６１３は、ラインビンゴゲーム制御部１２４中の有効符号判定部４１３とほぼ同様の機能を有している。即ち、抽選部１２２を介して入力される抽選装置１０による抽選結果とビンゴカード上に配列された符号との比較を行い、一致する符号の判定を行う。判定の結果、一致する符号は有効符号として取り扱われる。尚、かかる有効符号判定部６１３は、上述の判定をすべての遊戯者のカードについて行うようになっている。
【００６４】
表示部１２６２は、ラインビンゴゲーム制御部１２４中の表示部１２６２とほぼ同様の機能を有している。即ち、この表示部１２６２は、カード管理部１２６１により生成された複数のビンゴカードについての画像を、それぞれの遊戯者の座席ＰＳ毎に設けられたディスプレイ装置ＤＳに示させる。表示部１２６２は、またゲームの進行に必要な諸情報、例えば投入されたメダル数や、オッズなどを、該当するビンゴカードの画像と共に表示する。
【００６５】
ビンゴ判定部１２６３は、ラインビンゴゲーム制御部１２４中のビンゴ判定部１２４５とほぼ同様の機能を有している。即ち、ビンゴカード上に表示される有効符号が、所定の条件を満たすか否かを判定し、満たす場合はビンゴカードを当選乃至勝ち（ビンゴ発生）と判定する。尚、ビンゴ判定部１２６３は、上述の判定をすべてのカードについて行うようになっている。この実施形態では、縦、横、斜めのいずれかの一列の符号のすべてが有効符号か有効領域となった場合に、ビンゴが発生したと判定するようになっている。
【００６６】
ベット管理部１２６４は、選択されたカードに対するベット数を確認するようになっている。このベット管理部１２６４は、すべての遊戯者がジャックポットゲームでしたベットの数を計数し、これを検出するようになっている。そして、ベット管理部１２６４は、ジャックポットゲームで勝ちと判断された遊戯者に、それまでに各遊戯者により積み立てられたすべての遊戯価値を払い戻せとの指示をメダル管理部１３０へと送るように構成されている。
【００６７】
尚、抽選装置１０による符号の選択がすべて終了してもビンゴが発生しなかった場合には、当該遊戯者については、遊戯価値の払出は原則行われない。
【００６８】
抽選機構２００は、符号の選択のための抽選を行うものであり、その結果は、ラインビンゴゲーム制御部、マルチビンゴゲーム制御部、ジャックポットゲーム制御部へそれぞれ送られ、ラインビンゴゲーム、マルチビンゴゲーム、ジャックポットゲームのそれぞれにおいて共通に利用されるようになっている。
【００６９】
この抽選機構２００は、図１４に示すような機能ブロックからなる。即ち、抽選機構２００は、指示情報解析部２１０、抽選制御部２２０を含んで構成される。
【００７０】
抽選制御部２２０は、抽選装置１０の制御を行うものである。具体的には、抽選の開始や停止などの抽選に関する動作全般を制御する。抽選制御部２２０は、指示情報解析部２１０を介してゲーム管理機構１００から入力された制限時間の経過などについての情報に基づいて、抽選装置１０に抽選を行わせる。また、抽選装置１０は、その抽選結果を検出し、その結果をゲーム管理機構１００に送る。
【００７１】
また、通知機構３００は、リーチ状態の発生を視覚的に遊戯者に伝えるための報知装置３０の動作全般を制御する。通知機構３００は、図１５に示すような機能ブロックからなる。即ち、通知機構３００は、指示情報解析部３１０、通知制御部３２０を含んで構成される。
【００７２】
通知制御部３２０は、指示情報解析部３１０を介して、ゲーム管理機構１００から入力される入力情報を解析する。そして、リーチ状態にある遊戯者にのみそのリーチ状態を認識させられるように報知装置３０を制御する。
【００７３】
次に、以上のようなビンゴゲーム機における制御手順を説明する。
【００７４】
このビンゴゲーム機では、ラインビンゴゲーム、マルチカードビンゴゲーム、ジャックポットゲームが同時に行われ、それぞれのゲームは、コントローラＣＮＴにより制御される。座席ＰＳに座った遊戯者は、メダル投入などの所定の参加条件が満たされると、これらのゲームから所望のゲームを選択する。ラインビンゴゲームの表示画面を図１６に、マルチカードビンゴゲームの表示画面を図１７に、ジャックポットゲームの表示画面を図１８にそれぞれ示す。各々の表示画面中、ビンゴカード表示において、符号が太線の四角で囲まれた位置は有効領域、実線の円で囲まれた符号は有効符号、破線の円で囲まれた符号は、この符号が有効になると当選となる符号（待ち符号）を表す。
【００７５】
それぞれのゲームの表示画面の右端上部に、「ＬＩＮＥ」、「ＭＵＬＴＩ」、「ＪＰ」の３つのゲーム切替タグが表示されているが、これらはそれぞれラインビンゴゲーム、マルチカードビンゴゲーム、ジャックポットゲームを示している。遊戯者はいずれかのタグに触れることにより、これらのゲームの表示画面を自由に切り替えることができる。このゲーム切り替えは、入力制御装置５４、コントローラＣＮＴ内のゲーム管理機構１００、ゲーム制御部１２０、指示情報解析部１１０、各ゲーム制御部１２４〜１２６が協働して行う。
また、各表示画面の「１０ＢＥＴ」、「１ＢＥＴ」の表示は、それぞれ１０ベット、１ベットを意味する。遊戯者が「１０ＢＥＴ」の表示に触れると１０メダル分ベットしたことになる。
さらに、それぞれの表示画面の下部には、そのゲームにおけるベット数（bet）、全体のベット数（Totalbet）、獲得メダル数（win）、支払いメダル数（paid）、現在の投入メダル数（credit）が表示される。
【００７６】
図１６のラインビンゴゲームの表示画面の右上部には、表示されるゲームカードのオッズが当選ライン数別に表示される。
図１７のマルチカードビンゴゲームの表示画面には、４枚のカードが表示されている。各カードの下には、カード毎のベット数が表示される。画面右下部の「ＯＤＤＳ×２」の表示は、当初のオッズが２倍になったことを示すものである。図１６，図１７のラインビンゴゲーム、マルチカードビンゴゲームの表示画面の左上部に表示される矩形領域は、同時に進行しているジャックポットゲームのカードを表示するためのものである。ラインビンゴゲームまたはマルチカードビンゴゲームをプレイしている遊戯者は、それぞれのゲームをプレイしながらジャックポットゲームの進行状況をも確認することができる。
図１８のジャックポットゲームの表示画面中、カードの上の表示は、そのカードにかけられているベットの総数等を示している。
【００７７】
＜ラインビンゴゲーム＞
ラインビンゴゲームの制御手順を図２１に示す。ラインビンゴゲームは表示画面の“ＬＩＮＥ”タグにディスプレイ装置ＤＳ上で触れることにより選択できる。
【００７８】
ラインビンゴゲームを選択すると、ラインビンゴゲーム制御部１２４は、各遊戯者に固有のビンゴカードの画像を複数生成し、これをそれぞれ該当する遊戯者の座席ＰＳのディスプレイ装置ＤＳに、その上部に複数のタグをもつカードを表示する（ステップＳ１０１）。遊戯者は、複数のカードのなかから、好みのビンゴカードを１枚選択する。ビンゴカードの画像の切換、ビンゴカードの選択は、ビンゴカードの画像上部にあるタグをディスプレイ装置ＤＳ上で触れることにより行う。各ビンゴカードの画像は、カード管理部１２４１により生成される。ビンゴカードは、図１６に示すように、５×５のマトリクス状に「１」〜「２５」までの符号を無作為に配列したものである。また、各ビンゴカードに対応したオッズが、該当するビンゴカードの画像と共に表示される。これにより、遊戯者は、当選の確率が低いが高配当のビンゴカードや、当選の確率が高いが低配当のビンゴカードから、ビンゴカードを選択することができる。オッズは、カード管理部１２４１からのカード情報に基づいて、算出部１２４２で所定の計算式に依って計算される。
【００７９】
ここで、ラインビンゴゲーム制御部１２４によるビンゴカードの生成及びオッズの計算の手順を、図９、図２２を参照して詳細に説明する。
まず、補助記憶装置５７に記憶されている符号情報を、カード生成部４１１にランダムに読み出して、ぞれぞれのカードに付き符号の配列を決定する（ステップＳ１２１）。ここで符号の配列情報は、補助記憶装置５７に予め記憶させておいたものを読み出してもよいし、符号を読み出したあとでカード生成部でランダムに決定してもよい。次に、有効領域設定部４１２により、マトリクス上の特定位置の符号を有効領域として指定する。この特定位置の情報は、補助記憶装置５７に予め何パターンか記憶させておいたものを読み出してもよいし、符号を読み出したあとでカード生成部でランダムに決定してもよい。符号の配列情報と、有効領域の情報が決定されると、これがビンゴカードとなる（ステップＳ１２２）。有効領域の数及び位置は、各々の配列情報毎に異なるものとしてもよいし、すべての配列情報に共通なものとしてもよい。
【００８０】
次に、算出部１２４２によりカード生成部４１１に生成されたビンゴカードの特定位置の数及び配置を元に、オッズを計算する（ステップＳ１２３）。通常、特定位置の数及び配置は、ビンゴカード毎に異なるため、各ビンゴカード特有のオッズとなる。例えば、有効領域の数が少ないカードについてはより高いオッズを設定する。このようにして生成したビンゴカード及びオッズは、表示部１２４３を介してディスプレイ装置ＤＳに表示される（ステップＳ１２４）。
【００８１】
ビンゴカードが表示されると、各遊戯者は、カードの各ライン毎にライン変更操作を行うことが可能となる（ステップＳ１０２）。本実施形態におけるライン変更操作の例について、図面を参照して説明する。
【００８２】
図１９は、ライン変更制御部４１４によるライン変更の動作の一例を図示したものである。図１９には、ビンゴカードおよび各ラインの両側に配置されるライン移動操作用アイコンが表されている。
【００８３】
図１９の上図では、ビンゴカードの第３列において符号”１７”の位置が有効領域、符号”２１”が有効符号、符号”１４”の位置が有効領域であって、この列の符号があと一つ有効化されればリーチになることがわかる。ここで、このカードの最下行の符号”１２”はすでに有効符号であるため、符号”１２”を第３列に移動させることができれば、残りは符号”５”のみとなり、ビンゴになる確率が高まることが期待できる。
そこで、遊戯者が、図中最下行の左側に配置されている左向き矢印に一回触れると、当該行に配置されている符号列が左に一つ移動する。図１９の下図は、この移動後の符号列の配置状態を示した図である。当該行の左端に配置されていた符号２２が右端に移動するとともに、符号”１”、”１０”、”１２”、”３”が一つずつ左に移動していることがわかる。このとき、抽選により有効符号となっている符号は、有効符号のまま移動するが、有効領域設定部４１２により設定される有効領域（最下行右端の領域）は、行の符号全体が左に移動してもいっしょには移動せず、右端に固定されたままである。このようにして、遊戯者が、この左向き矢印を一回押すたびに、この符号列が一つづつこの行内で循環的に移動する。また、右向き矢印を押すと、反対方向に同様に移動する。このライン移動操作による符号列の再配置は、後述する一定期間のみ可能であり、この期間を過ぎるとカード上の符号の配置は固定される。
【００８４】
上記、ライン変更機能は、ディスプレイ装置ＤＳ上の入力による入力動作の検出、カード管理部１２４１による符号配列データの変更によって実現される。
【００８５】
図２０は、ライン変更制御部４１４によるライン変更の動作の他の例を図示したものである。図２０の上図はライン変更前、下図はライン変更後である。図２０は、有効符号を移動させることにより、ビンゴカードにリーチ状態を発生させている。上図では符号“２１”、“１２”、”２４”が有効符号であり、また符号“１７”、“１６”、“２４”、“１４”、“３”が位置する領域は有効領域であるがリーチ状態にはない。ここで、上図において、符号”２４”は有効符号であり、かつ有効領域に位置している。本発明においては、このように有効符号が有効領域に位置している状態（以下、重複状態という。）にある場合には、遊戯者に特別の利益を与えることとする。本実施形態においては、オッズを最初の値の２倍とする。オッズが高くなったことは、画面上のオッズ表示欄を書きかえることにより、遊戯者に通知することができる。
【００８６】
ところで、この上図の配置では未だリーチ状態ではないが、遊戯者は第３行を右方向にライン移動操作し、有効符号”２４”を右に一つずらすことで、リーチ状態にすることができる。図２０下図は符号”２４”を一つ右にずらした状態を表したものである。あと符号”１０”が抽選されれば当選する、リーチ状態になっていることがわかる。ここで、有効符号”２４”はもはや有効領域には位置していないのであるから、オッズは当初の値に戻す。これは、遊戯者がライン移動操作によって当選確率を上昇させようとした場合には、もはや特別な利益を与える必要がないと考えれられるからである。つまり、有効符号を重複状態において高いオッズを得るか、ライン移動操作を行って当選確率の上昇を狙うかを遊戯者に択一的に選択させるのである。
【００８７】
実際のゲーム場面では、これらのライン移動操作は後述する１〜３球目の抽選実行中またはそれらの実行の後一定期間内に行われることになる。
【００８８】
ビンゴカードを選択した後に、遊戯者はメダルのベットを行う（ステップＳ１０３）。ベットされるメダルは、メダル管理装置５４により管理される。通常遊戯者はある程度の数量のメダルを予め投入しておき、そのなかからベットする数を指定する。もちろんベット毎にメダルを投入してもよい。
ここで、ベットを行うたびに、前述のフューチャー抽選が行われる。具体的には、ボーナス抽選部１２３は、各遊戯者がベットしたメダルの数を検出し、トータルのベット数が予め設定した数を超える度に、フューチャー抽選を行う。フューチャー抽選により遊戯者には、所定の有利な条件が与えられる。この実施形態では、１０ベット毎にフューチャー抽選が行われるようになっている。かかる抽選の結果により遊技者には有利な条件が与えられるようになっているが、この有利な条件は、ラインビンゴカードゲーム内のみならず、マルチカードビンゴゲーム、ジャックポットゲームにも反映されるようになっている。
【００８９】
遊戯者に与えられる有利な条件としては、ラインビンゴゲーム、マルチカードビンゴゲームで与えられるものとしては、例えば、オッズの倍増、有効領域の数の増加などがある。また、ジャックポットゲームで与えられるものとしては、有効領域の数の増加などがある。
【００９０】
前述したように、一定時間経過後のベットは禁止され、抽選が開始される。まず、３個の抽選用ボールを用いて１〜３回目の符号抽選を行う（ステップＳ１０４）。抽選は、具体的には、回転体１２を所定速度で回転させ、供給孔１１より回転体１２の面部にボールを供給することにより行われる。供給されたボールは、回転体１２の面部を不規則に転がって回収部１３方向に飛び出し、ポケット１４のいずれかに収容される。ボールを収容したポケット１４に割り当てられている符号がそのボールについての有効符号となる。
【００９１】
３回目の抽選が終了後、所定時間経過した後は、ビンゴカードのライン変更は禁止される（ステップＳ１０５）。この所定時間は、遊戯者の適切な思考時間を付与しつつ、全体としての遊戯時間を短縮するという観点から適切な長さに設定する。例えば１０〜１５秒に設定することができる。
【００９２】
この所定時間が経過すると、抽選装置１０はさらに２個の抽選用ボールを用いて、４、５回目の符号抽選を行う（ステップＳ１０６）。抽選は、ステップＳ１０４の抽選と同様に行う。
【００９３】
４、５回目の抽選が終わると、ビンゴカードがリーチ状態にあるか否かの判定を行う（ステップＳ１０７）。リーチ状態にあるか否かは、リーチ判定部１２４４により判定される。リーチ状態にあると判定された場合（ステップ１０７：ＹＥＳ)は、ステップＳ１０９に進んで６回目の抽選を行う。リーチ状態にないと判定された場合（ステップ１０７：ＮＯ）は、ステップＳ１０８に進んで途中ベットを行う。
【００９４】
途中ベットとは、最終回の抽選が行われる直前において、遊戯者のビンゴカードがリーチ状態にない場合、追加のベットを条件に、有効符号を増やすことをいう。例えば、その時点での有効領域および有効符号の配列からみて、マトリクス上の特定の位置に配置された符号をあと一つ有効にすればリーチになる場合、ベットを追加することにより、この符号を「買う」ことができるようにするものである。これにより、最終回の抽選前にリーチ状態にないビンゴカードでもリーチ状態とすることが可能となり、ゲーム終了まで遊戯者に興趣を維持させることができる。
【００９５】
続いてこの途中ベットの手順について、さらに詳しく説明する。ラインビンゴゲーム制御部１２４は、ディスプレイ装置ＤＳにおいてカードの途中ベットの対象となる符号を識別可能に変更表示するとともに、追加されるべきベットの数を表示して、遊戯者による追加ベットを待つ。ラインビンゴゲーム制御部１２４は、ベット管理部１２４６により追加ベットされたことを確認すると、カード管理部１２４１と協働して当該対象符号を有効符号に変更する。これにより、途中ベットの対象となった符号は有効符号としてディスプレイ装置ＤＳに表示される。途中ベットのベット数は、すでにベットされている数量、オッズ等に基づいて、ラインビンゴゲーム制御部１２４が適切に定める。すなわち追加を要求するベット数が少なすぎれば遊戯者は必ずベットする一方、高ければベットをためらうことになる。また、それまでにベットしている数量によっても、ゲームを継続するか否かの判断は左右される。よって、ゲームの興趣を最後まで損なわないためには、追加ベットするべきかどうか遊戯者に逡巡させるような範囲で数量を定めることが好ましい。
また、有効にすべき符号がいくつかあってそのなかから一つを選択可能な場合、または複数の符号をいっしょに有効にしなければリーチに持っていけない場合は、ディスプレイ装置ＤＳ上において遊戯者にそれらを認識可能に表示するとともに、どの符号に途中ベットするか、複数枚途中ベットするかどうかの選択を可能とする。これらの選択は、入力制御装置５４、コントローラＣＮＴ内のゲーム管理機構１００、指示情報解析部１１０、ゲーム制御部１２０の協働により行われる。
【００９６】
以上のようにしてビンゴカードをリーチ状態にした後、抽選装置１０により１個の抽選用ボールを用いて６回目の抽選を行う（ステップＳ１０９）。抽選は、ステップＳ１０４、Ｓ１０６の抽選と同様に行う。
【００９７】
すべての抽選を終えると、ビンゴ判定部１２４５によりビンゴカードが当選となったか否かを判定する（ステップＳ１１０）。ビンゴカードが当選した（ビンゴ成立）と判定されると（ステップＳ１１０：ＹＥＳ）、該当するビンゴカードが表示されるディスプレイ装置ＤＳのある払出口４２に、遊戯価値を払い戻す（ステップＳ１１１）。ビンゴカードが当選しなかった（ビンゴ不成立）と判定されると（ステップＳ１１０：ＮＯ）、遊戯価値の払い戻しは、前述のボーナス発生の場合を除き、行われない。
【００９８】
上記ラインビンゴゲームの制御手順の説明においては、説明の都合上、リーチの判定（ステップＳ１０７)、ビンゴ成立の判定（ステップＳ１１０)は、それぞれ１〜３球目の抽選実行後、６球目の抽選実行後に行うものとしているが、リーチ状態およびビンゴは何球目の抽選かを問わず、すべての抽選のたびに発生しうるものなので、これらの判定は実際には抽選毎に行う。
【００９９】
＜マルチカードビンゴゲーム＞
マルチカードビンゴゲームの制御手順を図２３に示す。マルチカードビンゴゲームは、表示画面の“ＭＵＬＴＩ”タグにディスプレイ装置ＤＳ上で触れることにより選択される。
【０１００】
マルチカードビンゴゲームが選択されると、マルチカードビンゴゲーム制御部１２５は、各遊戯者毎に固有のビンゴカードの画像を複数生成し、これをそれぞれ該当する遊戯者の座席ＰＳのディスプレイ装置ＤＳに同時に表示させる（ステップＳ２０１）。本実施形態では、図１７に示すように一つのディスプレイ装置ＤＳに４個のビンゴカードの画像を表示させる。この４個のビンゴカードが、その遊戯者の使用するビンゴカードとなる。各ビンゴカードの画像は、カード管理部１２５１により生成される。ビンゴカードの各々の画像は、図１７に示すように５×５のマトリクス状に「１」〜「２５」までの符号が無作為に配列されて、有効領域はその他の領域から識別可能に表示される。有効領域は、図１７では各ビンゴカード毎に異なる位置に設定されているが、これは、４個のビンゴカード全てで同じ位置に設定されてもよい。ビンゴカードの画像は、ラインビンゴカードの画像と同様に生成される。また、ビンゴカードと同時にオッズも表示される。オッズは、算出部１２５２で計算される。その他に、ベットした遊戯価値数などのゲーム進行に必要な情報が、同時に表示される。
【０１０１】
ビンゴカードが表示されると、遊戯者からのベットを受け付ける（ステップＳ２０２）。ベットは、図１７の画面上の“１０ＢＥＴ”又は“１ＢＥＴ”に触れることにより行われる。
【０１０２】
ベット受け付けから所定時間が経過すると、６個の抽選用ボールを用いて順次抽選を行う（ステップＳ２０３）。この抽選は、ラインビンゴゲームで行われる抽選動作（ステップＳ１０４、Ｓ１０６、Ｓ１０９）と同じであり、ラインビンゴゲームとマルチカードビンゴゲームとは、同時に進行されることとなる。
抽選が終了すると、ビンゴ判定部１２５５によりビンゴカードが当選となったか否かを判定する（ステップＳ２０４）。ビンゴカードが当選であると判定されると、該当する遊戯者の払出口４２に、遊戯価値を払い戻す（ステップＳ２０６：ＹＥＳ）。ビンゴカードが当選とならなかった場合、遊戯価値の払い戻しは原則行われない（ステップＳ２０６：ＮＯ）。
【０１０３】
１ゲームが終了すると、前述のフューチャー抽選が行われる。具体的には、ボーナス抽選部１２３は、そのゲームにおいて各遊戯者がベットしたメダルの数が予め設定した数を超えている場合に、フューチャー抽選を行う。この実施形態では、１０ベット行われる度にフューチャー抽選が行われるようになっている。そしてこのフューチャー抽選の結果により遊戯者には、所定の有利な条件が与えられる。マルチカードビンゴゲーム内のみならず、ラインビンゴゲーム、ジャックポットゲームにも反映されるようになっている。
【０１０４】
遊戯者に与えられる有利な条件としては、ラインビンゴゲーム、マルチカードビンゴゲームで与えられるものとしては、例えば、次のゲームにおけるオッズの倍増、有効領域の数の増加などがある。また、ジャックポットゲームで与えられるものとしては、有効領域の数の増加などがある。
【０１０５】
＜ジャックポットゲーム＞
ジャックポットゲームを１回実行するためのビンゴゲーム機の制御手順を図２４及び図２５に示す。これらは、一連でジャックポットゲーム実行の流れを示している。
【０１０６】
ジャックポットゲームは表示画面の“ＪＰ”タグにディスプレイ装置ＤＳ上で触れることにより選択される。
【０１０７】
ジャックポットゲームを選択すると、図１８に示したような表示画面がディスプレイ装置ＤＳ上に映し出される（ステップＳ３０５）。
画面上に表示されるのは、各遊戯者に固有の一のビンゴカードの画像と、１ＢＥＴ、１０ＢＥＴの表示のあるＢＥＴ用キーの画像と、他のゲームでのＢＥＴ数や、投入したメダルの数などを表示するためのデータの画像などである。
【０１０８】
上記画像は表示部１２６２が生成した画像表示用データに制御される画像制御部１４０の制御下でディスプレイ装置ＤＳ上に表示されるのであるが、かかる表示に先立って、以下のような作業が行われる。
即ち、まず、今回のゲームの直前に行われたジャックポットゲームの終了後に行われたフューチャー抽選（マルチカードビンゴゲームで行われたフューチャー抽選）で、次ゲームでのいずれかの遊戯者のカードの有効領域（フリースポット）を増加させるとの決定がなされているか否かの判定を有効符号設定部６１２が行う（ステップＳ３０１）。もし、いずれかの遊戯者について有効領域を増加させる旨の決定がなされていた場合（ステップＳ３０１：ＹＥＳ）には、有効符号設定部６１２は、かかる遊戯者に割り当てるべきビンゴカード中の有効領域を、直前のゲームのときよりも１つ増加させる（ステップＳ３０２）。いずれの遊戯者についても有効領域を増加させる旨の決定がなされていない場合（ステップＳ３０１：ＮＯ）には、どの遊戯者に割り当てられるビンゴカード中の有効領域も、直前のゲームのときと同じ数とされる。
【０１０９】
次に、ラインビンゴゲーム中に行われたフューチャー抽選で、いずれかの遊戯者のカードの有効領域を増加させるとの決定がなされているか否かの判定を有効符号設定部６１２が行う（ステップＳ３０３）。もし、いずれかの遊戯者について有効領域を増加させる旨の決定がなされた場合（ステップＳ３０３：ＹＥＳ）には、有効符号設定部６１２は、かかる遊戯者に割り当てるべきビンゴカード中の有効領域を、直前のゲームのときよりも１つ増加させる（ステップＳ３０４）。いずれの遊戯者についても有効領域を増加させる旨の決定がなされていない場合（ステップＳ３０３：ＮＯ）には、どの遊戯者に割り当てられるビンゴカード中の有効領域も、直前のゲームのときと同じ数とされる。
【０１１０】
上述の有効領域の増加のさせ方を示したのが、図２６である。この図に示したように、デフォルト状態では、有効領域（図中、太線の四角が内側に配された小領域がこれに当たる。）の数は２であり、フューチャー抽選で有効領域を増加させる旨の決定がなされる度に、有効領域の数が増加していく。この実施形態では、有効領域が最大９つまで増加するように制御を行う。尚、有効領域は、予め定めた法則に従って、例えば、デフォルト状態でビンゴ状態が発生しないような配置を保ちつつ、その数を増加させていくようにすることも可能であるし、また、ランダムにその数を増加させていくようにすることも可能である。
【０１１１】
上述の如き流れで有効領域の数が決定された後、ビンゴカードの画像がディスプレイ装置ＤＳ上に表示されることとなる（ステップＳ３０５）。尚、この表示は、上述の有効符号設定部６１２の決定と、補助記憶装置５７から読み出したデータとに基づいて、カード生成部１２６１が生成したデータに基づいて行われる。
【０１１２】
次に、ゲーム機は、各遊戯者からのベットを受け付ける（ステップＳ３０６）。遊戯者は、自分に割り当てられたディスプレイ装置ＤＳに表示された１０ＢＥＴ又は１ＢＥＴの表示に触れることで、ベットを行う。各遊戯者が行ったベットについての情報はメダル管理部１３０を介してベット管理部１２６４に入力される。この情報により、ベット管理部１２６４は、各遊戯者がベットした遊戯価値数を累積して管理する。
【０１１３】
次に、ビンゴゲーム機は、今回のジャックポットゲームへの参加者の有無を判定する（ステップＳ３０７）。少なくとも一人の遊戯者がベットを行った場合には、参加者有りと判断する。参加者がいる場合（ステップＳ３０７：ＹＥＳ）には、ジャックポットゲームが進行する。参加者がいなかった場合（ステップＳ３０７：ＮＯ）には、当該ジャックポットゲームは中止され、累積した遊戯価値は、次回に持ち越される。尚、次回のジャックポットゲームの開始は、他の２ゲームの開始と同時になる。
【０１１４】
ゲームが実行される場合、遊戯機は、払い戻し数の表示を行い（Ｓ３０８）抽選による有効符号の選択を行う（ステップＳ３０９）。この抽選は、ラインビンゴゲーム及びマルチカードビンゴゲームで行われる有効符号の選択がこれを兼ねているので、その結果を利用する。有効符号と選択された符号は、有効符号判定部６１３から送られたデータ、これを受け取ったカード生成部６１１が生成したデータに基づいて、ディスプレイ装置ＤＳ上に、他の符号と区別して表示される。
【０１１５】
抽選の最中及び、すべての抽選が終わった場合には、遊戯機は、ビンゴになった遊戯者の有無を判定する（ステップＳ３１０）。かかる判定は、ビンゴ判定部１２６３により行われる。ビンゴになった遊戯者がいる場合（ステップＳ３１０：ＹＥＳ）には、ビンゴ判定部１２６３は、その旨をベット管理部１２６４へ通知し、これを受けたベット管理部１２６４は、メダル管理部１３０、メダル管理装置５４に管理される払出口４２からメダルを払い出すか、当該遊戯者が所有する遊戯価値のクレジットとして記憶する（ステップＳ３１１）。尚、クレジットとして記憶された遊戯価値は、遊戯者の操作によりいつでも払い戻しを行えるようになっている。
【０１１６】
また、いずれかの遊戯者が勝ちと判定されてメダルの払い戻しを受けるなどした場合には、有効符号設定部６１２は、次回のゲームにおいて当該遊戯者の有効領域数をデフォルト状態の２に戻す旨決定する（ステップＳ３１２）。
【０１１７】
次に、マルチラインビンゴゲームで行われたフューチャー抽選で、次ゲームでのいずれかの遊戯者のカードの有効領域を増加させるとの決定がなされたか否かを有効符号設定部６１２が判定する（ステップＳ３１３）。尚、いずれかの遊戯者においてもビンゴが発生しなかった場合（ステップＳ３１０：ＮＯ）には、ステップＳ３１３が行われる。
【０１１８】
マルチラインビンゴゲームで行われたフューチャー抽選で、次ゲームでのいずれかの遊戯者のカードの有効領域を増加させるとの決定がなされたと判定された場合（ステップＳ３１３：ＹＥＳ）には、有効符号判定部６１２は次回のジャックポットゲームにそれを反映させるべく、かかるデータを保持する。その後、今回のゲームを終了させ、次回のジャックポットゲームを開始する。一方、有効領域を増加させるとの決定がなされていない場合（ステップＳ３１３：ＮＯ）には、そのままゲームが終了し、次回のジャックポットゲームが開始される。
【０１１９】
尚、以上説明したビンゴゲーム機の中心をなす各機能ブロックは、ゲーム専用機や、家庭用の汎用機などの所定のコンピュータ装置に、本発明にかかる記録媒体に記録されたプログラムコードを読み込ませることによって実現することもできる。
【０１２０】
【発明の効果】
以上のように、本発明によれば、遊戯者に提示される複数の配列情報が、それぞれ異なる特色を持つことになり、遊戯者が配列情報を選択する際に動機付けを与えることができ、ゲームの遊興性が高まる。
【図面の簡単な説明】
【図１】ビンゴゲーム機の外観斜視図。
【図２】遊戯者席の外観斜視図。
【図３】抽選装置の要部構成図
【図４】ビンゴゲーム機のハードウェア構成図。
【図５】ビンゴゲーム機の機能ブロック図。
【図６】図５のゲーム管理機構の機能ブロック図。
【図７】図６のゲーム制御部の機能ブロック図。
【図８】図７のラインビンゴゲーム制御部の機能ブロック図。
【図９】図８のカード管理部の機能ブロック図。
【図１０】図７のマルチカードビンゴゲーム制御部の機能ブロック図。
【図１１】図１０のカード管理部の機能ブロック図。
【図１２】図７のジャックポットゲーム制御部の機能ブロック図。
【図１３】図１２のカード管理部の機能ブロック図。
【図１４】図５の抽選機構の機能ブロック図。
【図１５】図５の通知機構の機能ブロック図。
【図１６】ラインビンゴゲームの表示画面。
【図１７】マルチカードビンゴゲームの表示画面。
【図１８】ジャックポットゲームの表示画面。
【図１９】ライン移動の説明図。
【図２０】ライン移動の説明図。
【図２１】ラインビンゴゲームのフローチャート。
【図２２】ビンゴカード及びオッズ画面の生成手順を示すフローチャート。
【図２３】マルチカードビンゴゲームのフローチャート。
【図２４】ジャックポットゲームのフローチャート。
【図２５】ジャックポットゲームのフローチャート。
【図２６】ジャックポットゲームにおけるゲーム開始時のビンゴカードを概略で示す図。
【符号の説明】
１００  ゲーム管理機構
１１０  指示情報解析部
１２０  ゲーム制御部
１３０  メダル管理部
１４０  画像制御部
１５０  サウンド制御部
１２１  ベット制御部
１２２  抽選部
１２３  ボーナス抽選部
１２４  ラインビンゴゲーム制御部
１２５  マルチカードビンゴゲーム制御部
１２７  ジャックポットゲーム制御部
【図１】
0003640853.tif 000002
【図２】
0003640853.tif 000003
【図３】
0003640853.tif 000004
【図４】
0003640853.tif 000005
【図５】
0003640853.tif 000006
【図６】
0003640853.tif 000007
【図７】
0003640853.tif 000008
【図８】
0003640853.tif 000009
【図９】
0003640853.tif 000010
【図１０】
0003640853.tif 000011
【図１１】
0003640853.tif 000012
【図１２】
0003640853.tif 000013
【図１３】
0003640853.tif 000014
【図１４】
0003640853.tif 000015
【図１５】
0003640853.tif 000016
【図１６】
0003640853.tif 000017
【図１７】
0003640853.tif 000018
【図１８】
0003640853.tif 000019
【図１９】
0003640853.tif 000020
【図２０】
0003640853.tif 000021
【図２１】
0003640853.tif 000022
【図２２】
0003640853.tif 000023
【図２３】
0003640853.tif 000024
【図２４】
0003640853.tif 000025
【図２５】
0003640853.tif 000026
【図２６】
0003640853.tif 000027